(57)【要約】【課題】複数の車載機と情報提供センタとが通信可能に構成された情報提供システムにおいて、訪問先施設を案内する際に実際に人気がある施設を案内できるようにする。【解決手段】情報提供システム１において、車載機１０から要求信号を受けると、センタ３０は、センタ処理にて、地図情報・立ち寄り情報ＤＢ３２に記録された訪問者の情報に基づいて、予め設定された閾値よりも訪問者数が多い訪問先情報を抽出する。そして、抽出した訪問先情報を車載機１０に対して送信する。従って、センタ３０は、訪問先情報の中から訪問者数が多い施設の情報を車載機１０に提供することができるので、車載機１０のユーザに対して人気のある施設の情報を提供することができる。【選択図】図２
2008128659.tif 000002
【特許請求の範囲】
【請求項１】
複数の車載機と、情報提供センタとが通信可能に構成された情報提供システムであって、
前記各車載機は、
施設情報を要求する要求信号を前記情報提供センタに対して送信する施設情報要求手段、
を備え、
前記情報提供センタは、
予め複数の施設とこれらの各施設を訪れた訪問者の情報とが対応付けられた訪問先情報を記録した訪問先情報記憶手段と、
前記車載機から前記要求信号を受けると、前記訪問先情報記憶手段に記録された訪問者の情報に基づいて、予め設定された閾値よりも訪問者数が多い訪問先情報を抽出する抽出手段と、
前記抽出手段により抽出された訪問先情報を前記車載機に対して送信する訪問先情報送信手段と、
を備えたことを特徴とする情報提供システム。
【請求項２】
前記少なくとも一部の車載機は、
当該車載機を搭載した車両の現在地を検出する現在地検出手段と、
少なくとも前記現在地検出手段により検出された現在地の情報を前記情報提供センタに送信する車載機情報送信手段と、
を備え、
前記情報提供センタは、
少なくとも複数の施設の位置情報を含む施設情報を地図情報に対応付けて記憶した地図情報記憶手段と、
前記車載機から前記現在地の情報を受けると、該現在地に近接する施設情報を前記地図情報記憶手段から抽出し、当該施設情報を前記車載機の使用者が訪問した訪問先施設として設定する訪問先施設設定手段と、
前記訪問先施設設定手段により設定された訪問先施設の情報に基づいて前記訪問先情報記憶手段に記録された訪問先情報を更新する更新手段、
を備えたことを特徴とする請求項１に記載の情報提供システム。
【請求項３】
前記少なくとも一部の車載機は、
当該車載機を搭載した車両の現在地を検出する現在地検出手段と、
少なくとも複数の施設の位置情報を含む施設情報を地図情報に対応付けて記憶した地図情報記憶手段と、
前記現在地検出手段によって検出された車両の現在地に近接する施設情報を前記地図情報記憶手段から抽出し、当該施設情報を当該車載機の使用者が訪問した訪問先施設として設定する訪問先施設設定手段と、
少なくとも前記訪問先施設の情報を前記情報提供センタに送信する車載機情報送信手段と、
を備え、
前記情報提供センタは、
前記車載機から前記訪問先施設の情報を受けると、該訪問先施設の情報の情報に基づいて前記訪問先情報記憶手段に記録された訪問先情報を更新する更新手段、
を備えたことを特徴とする請求項１に記載の情報提供システム。
【請求項４】
前記車載機情報送信手段は、前記現在地検出手段によって検出された車両の現在地の情報および前記車載機の使用者の特徴を表す属性情報も前記情報提供センタに送信し、
前記更新手段は、前記車載機から受信した属性情報と訪問先施設の情報とを対応付けて前記訪問先情報として前記訪問先情報記憶手段に記録し、
前記要求手段は、前記要求信号とともに当該車載機の使用者の特徴を表す属性情報も前記情報提供センタに対して送信し、
前記抽出手段は、前記訪問先情報記憶手段から、前記属性情報の少なくとも一部が一致し、かつ前記閾値よりも訪問者数が多い訪問先情報を抽出すること、
を特徴とする請求項２または請求項３に記載の情報提供システム。
【請求項５】
前記車載機情報送信手段は、前記車載機を識別する識別子も前記情報提供センタに送信し、
前記情報提供センタは、
前記車載機より受信した現在地の情報および識別子に基づいて、前記訪問先施設設定手段によって設定された当該車載機における訪問先施設を監視する訪問先監視手段、
を備え、
前記更新手段は、前記訪問先監視手段により監視された訪問先施設の訪問順序を前記訪問先情報として前記訪問先情報記憶手段に記録し、
前記施設情報要求手段は、基準となる施設を指定した要求信号である指定要求信号を前記情報提供センタに対して送信可能に構成され、
前記抽出手段は、前記指定要求信号を受けると、前記訪問先情報記憶手段に記録された訪問先情報のうち、前記指定要求信号により指定された施設の次に訪問された施設に関する訪問先情報であって、予め設定された閾値よりも訪問者数が多い訪問先情報を抽出すること
を特徴とする請求項２〜請求項４の何れかに記載の情報提供システム。
【請求項６】
前記情報提供センタは、
前記訪問先監視手段が１つの車載機を連続して監視する連続監視時間を、予め設定された許可時間以内に制限する制限手段、
を備えたことを特徴とする請求項５に記載の情報提供システム。
【請求項７】
前記抽出手段により複数の施設が抽出された場合に、予め設定された順序設定条件に基づいて前記複数の施設を訪問する訪問順序を設定する訪問順序設定手段
を備えたことを特徴とする請求項１〜請求項６の何れかに記載の情報提供システム。
【発明の詳細な説明】
【技術分野】
【０００１】
本発明は、複数の車載機と、情報提供センタとが通信可能に構成された情報提供システムに関する。
【背景技術】
【０００２】
従来、上記情報提供システムとして、車載機が、車載機そのものの情報や、この車載機の使用者の情報を情報提供センタに送信し、情報提供センタが、受信したこれらの情報に基づいて使用者の嗜好を推定し、この使用者の嗜好に合致したコンテンツを提供するものが知られている。
【特許文献１】特開２００５−３３９２７９号公報
【発明の開示】
【発明が解決しようとする課題】
【０００３】
しかしながら、上記情報提供システムでは、個々の使用者の嗜好を推定するのみであるので、使用者の嗜好が変化しなければ、いつも同じコンテンツばかりを提供することになる。特に、例えば、使用者にお勧めの訪問先施設を案内する場合には、使用者の嗜好が変化しない限り、いつも同じ施設ばかりを案内することになる。
【０００４】
また、このようにお勧めの訪問先施設を案内する場合には、公共施設等のありふれた施設や、情報を提供するスポンサの店舗等の施設を案内することになるので、実際に人気がある施設を案内することはできない。
【０００５】
そこで、このような問題点を鑑み、複数の車載機と情報提供センタとが通信可能に構成された情報提供システムにおいて、訪問先施設を案内する際に実際に人気がある施設を案内できるようにすることを本発明の目的とする。
【課題を解決するための手段】
【０００６】
かかる目的を達成するために成された請求項１に記載の情報提供システムにおいて、情報提供センタは、車載機から要求信号を受けると、抽出手段が、予め複数の施設とこれらの各施設を訪れた訪問者の情報とが対応付けられた訪問先情報を記録した訪問先情報記憶手段に記録された訪問者の情報に基づいて、予め設定された閾値よりも訪問者数が多い訪問先情報を抽出する。そして、訪問先情報送信手段が抽出された訪問先情報を車載機に対して送信する。
【０００７】
従って、このような情報提供システムによれば、情報提供センタは、訪問先情報の中から訪問者数が多い施設の情報を車載機に提供することができるので、車載機の使用者に対して人気のある施設の情報を提供することができる。
【０００８】
また、訪問先情報記憶手段は、情報提供センタに設けられているので、訪問先情報を更新する際には、訪問先情報記憶手段に記録された訪問先情報のみを更新するだけで、以後全ての車載機に更新された情報を提供することができる。
【０００９】
ところで、請求項１に記載の情報提供システムにおいては、請求項２に記載のように、少なくとも一部の車載機は、この車載機を搭載した車両の現在地を検出する現在地検出手段と、少なくとも検出された現在地の情報を情報提供センタに送信する車載機情報送信手段と、を備え、情報提供センタは、少なくとも複数の施設の位置情報を含む施設情報を地図情報に対応付けて記憶した地図情報記憶手段と、車載機から現在地の情報を受けると、現在地に近接する施設情報を地図情報記憶手段から抽出し、この施設情報を車載機の使用者が訪問した訪問先施設として設定する訪問先施設設定手段と、設定された訪問先施設の情報に基づいて訪問先情報記憶手段に記録された訪問先情報を更新する更新手段を備えていてもよい。
【００１０】
このような情報提供システムによれば、情報提供センタは、車載機より受信した現在地の情報に基づいて、近接する施設を車載機の使用者が訪問した施設であるものとして訪問先情報記憶手段に記録された訪問先情報を更新することができる。よって、車載機の使用者に対して常に最新の施設情報を提供することができる。
【００１１】
また、請求項１に記載の情報提供システムにおいては、請求項３に記載のように、少なくとも一部の車載機は、前述の現在地検出手段および地図情報記憶手段と、車両の現在地に近接する施設情報を地図情報記憶手段から抽出し、この施設情報を車載機の使用者が訪問した訪問先施設として設定する訪問先施設設定手段と、少なくとも訪問先施設の情報を情報提供センタに送信する車載機情報送信手段と、を備え、情報提供センタは、車載機から訪問先施設の情報を受けると、この訪問先施設の情報の情報に基づいて訪問先情報記憶手段に記録された訪問先情報を更新する更新手段を備えていてもよい。
【００１２】
このような情報提供システムによれば、情報提供センタは、車載機より受信した訪問先施設の情報を車載機の使用者が訪問した施設の情報であるものとして、訪問先情報記憶手段に記録された訪問先情報を更新することができる。よって、車載機の使用者に対して常に最新の施設情報を提供することができる。
【００１３】
さらに、請求項２または請求項３に記載の情報提供システムにおいては、請求項４に記載のように、車載機情報送信手段は、車両の現在地の情報および車載機の使用者の特徴を表す属性情報も情報提供センタに送信し、更新手段は、車載機から受信した属性情報と訪問先施設の情報とを対応付けて訪問先情報として訪問先情報記憶手段に記録し、要求手段は、要求信号とともに車載機の使用者の特徴を表す属性情報も情報提供センタに対して送信し、抽出手段は、訪問先情報記憶手段から、属性情報の少なくとも一部が一致し、かつ閾値よりも訪問者数が多い訪問先情報を抽出するようにされていてもよい。
【００１４】
このような情報提供システムによれば、属性情報の少なくとも一部が一致する訪問先情報のみを車載機に送信することができるので、車載機の使用者の属性に応じた施設情報を提供することができる。
【００１５】
なお、属性情報としては、例えば、使用者の性別、年齢、居住地、家族構成等の個人情報、或いは、車載機が搭載された車両の名称（車種）、年式、走行距離等の車両情報等の各種情報が挙げられる。
【００１６】
また、請求項２〜請求項４の何れかに記載の情報提供システムにおいては、請求項５に記載のように、車載機情報送信手段は、車載機を識別する識別子も情報提供センタに送信し、情報提供センタは、車載機より受信した現在地の情報および識別子に基づいて、この車載機における訪問先施設を監視する訪問先監視手段を備え、更新手段は、訪問先監視手段により監視された訪問先施設の訪問順序を訪問先情報として訪問先情報記憶手段に記録し、施設情報要求手段は、基準となる施設を指定した要求信号である指定要求信号を情報提供センタに対して送信可能に構成され、抽出手段は、指定要求信号を受けると、訪問先情報記憶手段に記録された訪問先情報のうち、指定要求信号により指定された施設の次に訪問された施設に関する訪問先情報であって、予め設定された閾値よりも訪問者数が多い訪問先情報を抽出するように構成されていてもよい。
【００１７】
このような情報提供システムによれば、情報提供センタは、基準となる施設を指定した指定要求信号を受信した場合に、指定された施設の次に多くの者が訪問した施設の情報を訪問先情報として提供することができる。
【００１８】
よって、指定された施設の次に訪問する施設としてお勧めの施設を案内することができる。
なお、本発明（請求項５）においては、基準となる施設が指定されなかった場合には、車載機が搭載された車両の現在地に近接した施設が指定されたものとみなすこともできる。
【００１９】
この場合において、地図情報記憶手段が車載機側に備えられている場合には、車載機は現在地の情報に基づいて該現在地に近接する施設情報を地図情報記憶手段から抽出し、この施設情報を車載機の使用者が指定した施設として設定すればよい。
【００２０】
また、前述の地図情報記憶手段が情報提供センタ側に備えられている場合には、車載機は現在地の情報を情報提供センタに送信し、情報提供センタでは、車載機から現在地の情報を受けると、該現在地に近接する施設情報を地図情報記憶手段から抽出し、この施設情報を車載機の使用者が指定した施設として設定すればよい。
【００２１】
さらに、請求項５に記載の情報提供システムにおいては、請求項６に記載のように、情報提供センタは、訪問先監視手段が１つの車載機を連続して監視する連続監視時間を、予め設定された許可時間以内に制限する制限手段を備えていてもよい。
【００２２】
このような情報提供システムによれば、１つの車載機を連続して監視する連続監視時間を許可時間以内に制限することができるので、収集した情報から個人が特定され難くすることができる。よって、車載機のユーザのプライバシを保護することができる。
【００２３】
また、請求項１〜請求項６の何れかに記載の情報提供システムにおいては、請求項７に記載のように、抽出手段によって複数の施設が抽出された場合に、予め設定された順序設定条件に基づいて複数の施設を訪問する訪問順序を設定する訪問順序設定手段を備えていてもよい。
【００２４】
このような情報提供システムによれば、抽出した複数の施設を設定された順序で案内することができる。よって、お勧めコース（経路）を車載機に提供することができる。
なお、情報提供センタに訪問順序設定手段が備えられている場合には、訪問先情報送信手段が、訪問順序設定手段により設定された訪問順序とともに、訪問先情報を送信するようにすればよい。
【発明を実施するための最良の形態】
【００２５】
以下に本発明にかかる実施の形態を図面と共に説明する。
図１は、情報提供システム１の概略構成を示すブロック図である。
情報提供システム１は、乗用車等の複数の車両にそれぞれ搭載された複数の車載機１０と、センタ３０とが、夫々備えられた通信部１７，３４を介して通信可能に接続されて構成されている。
【００２６】
なお、図１においては、複数の車載機１０のうち、１つの車載機１０のみを表示している。また、各通信部１７，３４間の通信は、例えば、直接無線接続することにより実施されてもよいし、携帯電話を利用した電話回線網や無線ＬＡＮを利用したインターネット網等の広域ネットワーク網を介して実施されてもよい。
【００２７】
情報提供システム１における車載機１０は、制御部１１と、履歴収集部１２と、個人情報ＤＢ（データベース）１３と、地図情報ＤＢ１４と、入力部１５と、表示部１６と、通信部１７と、を備えている。
【００２８】
制御部１１は、ＣＰＵ、ＲＯＭ、ＲＡＭ等を備えた周知のマイクロコンピュータとして構成されており、ＲＯＭに格納されたプログラムに応じて、後述するプローブ情報送信処理、お勧め施設表示処理、お勧めコース設定処理等の各種処理を実行する。
【００２９】
履歴収集部１２には、当該車載機１０を搭載した車両のユーザが訪問した訪問先施設の情報または車両の位置情報が時刻と対応付けて記録される。なお、この履歴収集部１２に記録された情報は、後述するプローブ情報送信処理において送信される。また、この履歴収集部１２に記録された情報は、プローブ情報送信処理にて送信されると削除されるようにしてもよい。
【００３０】
個人情報ＤＢ１３には、車載機１０のユーザの年齢、性別、未婚／既婚、同居家族構成、居住地域、職業などの情報が記録されている。ただし、車載機１０のプライバシを保護するために、ユーザの氏名や住所等、ユーザを特定する情報は含まない。
【００３１】
地図情報ＤＢ１４には、地図情報や施設情報が緯度経度の情報と対応付けて記録されている。
入力部１５は、車載機１０のユーザが各処理を開始するための指令を入力するためのインタフェースとして構成されている。具体的には、キーボードやポインティングデバイス、或いはタッチパネルやマイクとして構成されている。
【００３２】
表示部１６は、例えばＬＣＤ（液晶ディスプレイ）として構成されており、制御部１１からの表示指令に基づく画像を表示させる。
次に、センタ３０は、処理部３１と、地図情報・立ち寄り情報ＤＢ３２と、プローブ情報ＤＢ３３と、通信部３４とを備えている。
【００３３】
地図情報・立ち寄り情報ＤＢ３２には、複数の施設の位置情報を含む施設情報が地図情報に対応付けて記録されている。また、地図情報・立ち寄り情報ＤＢ３２には、各車載機１０のユーザが訪問した施設の情報（訪問先情報：施設名、訪問日時、訪問者数、訪問順序の情報等）が記録される。
【００３４】
プローブ情報ＤＢ３３には、車載機１０から受信したプローブ情報が記録される。なお、プローブ情報とは、車載機１０が保持するデータ全般を表し、具体的には、車載機１０のユーザの個人情報、車両の状態や車両の識別番号等を表す車両情報、車両の走行履歴（移動履歴（位置情報の履歴）や訪問先の情報）等を表す車載機情報等がこれに該当する。
【００３５】
通信部３４は、複数の車載機１０と通信を実施するとともに、インターネット網５を介して他のＷＥＢサーバ（例えば検索エンジン）との通信も実施する。
処理部３１は、ＣＰＵ、ＲＯＭ、ＲＡＭ等を備えた周知のマイクロコンピュータとして構成されており、ＲＯＭに格納されたプログラムに応じて、後述するセンタ処理を実行する。
【００３６】
次に、車載機１０からセンタ３０に対してプローブ情報を送信する処理について図２（ａ）を用いて説明する。図２（ａ）は車載機１０の制御部１１が実行するプローブ情報送信処理を示すフローチャートである。
【００３７】
プローブ情報送信処理においては、まず、前回の情報送信（Ｓ１３０の処理）を実施してから予め設定された所定時間（例えば５分）が経過したか否かを判定する（Ｓ１１０）。所定時間が経過していなければ（Ｓ１１０：ＮＯ）、所定時間が経過するまでＳ１１０の処理を繰り返す。
【００３８】
所定時間が経過していれば（Ｓ１１０：ＹＥＳ）、センタ３０との通信状態を検出し、センタ３０と通信できる状態であるか否かを判定する（Ｓ１２０）。センタ３０と通信できる状態でなければ（Ｓ１２０）、Ｓ１１０の処理に戻る。
【００３９】
また、センタ３０と通信できる状態であれば（Ｓ１２０：ＹＥＳ）、プローブ情報をセンタ３０に対して送信し（Ｓ１３０）、プローブ情報送信処理を終了する。なお、履歴収集部１２に記録された情報をセンタ３０に対して送信する際には、未送信の情報のみを送信するようにしてもよい。
【００４０】
次に、センタ３０の処理について図２（ｂ）を用いて説明する。図２（ｂ）はセンタ３０の処理部３１が実行するセンタ処理を示すフローチャートである。
このセンタ処理においては、車載機１０からプローブ情報を取得することにより、車載機１０を搭載した車両が、どのような施設から他の施設へ移動したのかといった情報を収集する処理、および車載機１０からの要求に応じて、検索結果の並び替えやお勧め・定番コースを提供する処理を実施する。
【００４１】
具体的には、まず、車載機１０からプローブ情報または立ち寄り情報要求を受信したか否かを判定する（Ｓ２１０，Ｓ２２０）。
立ち寄り情報要求を受信していれば（Ｓ２２０：ＹＥＳ）、地図情報・立ち寄り情報ＤＢ３２から要求に応じたデータを抽出し、要求を送信した車載機１０に対して抽出したデータを送信する（Ｓ２３０）。より具体的には、車載機から立ち寄り情報要求（要求信号）を受けると、地図情報・立ち寄り情報ＤＢ３２に記録された訪問者の情報を参照し、予め設定された閾値（例えば５人）よりも訪問者数が多い訪問先情報を抽出し、この訪問先情報を車載機１０に対して送信する。
【００４２】
また、プローブ情報を受信していれば（Ｓ２１０：ＹＥＳ）、Ｓ２４０以下の処理にて、プローブ情報を蓄積・解析して、プローブ情報を送信した車載機１０のユーザが立ち寄った店舗やこのユーザの一連の行動を、個人のプライバシを守った方法で収集する。なお、ユーザの一連の行動を把握するために、車載機１０より受信した現在地の情報および車載機ＩＤを利用する。
【００４３】
具体的には、収集したプローブ情報を送信した車載機１０を特定できる車載機ＩＤ（または個人を特定できる情報）がプローブ情報ＤＢ３３に記録されているか否かを判定する（Ｓ２４０）。
【００４４】
プローブ情報ＤＢ３３に車載機ＩＤが記録されていなければ（Ｓ２４０：ＮＯ）、受信した車載機ＩＤ（または個人を特定できる情報）に一時的に個人を特定できる一時個人ＩＤを割り振る（Ｓ２５０）。
【００４５】
Ｓ２４０にてプローブ情報ＤＢ３３に車載機ＩＤが記録されている場合（Ｓ２４０：ＹＥＳ）、およびＳ２５０の処理が終了した場合には、一時個人ＩＤ毎にプローブ情報をプローブ情報ＤＢ３３に記録する（Ｓ２６０）。なお、プローブ情報をプローブ情報ＤＢ３３に記録する際には、一時個人ＩＤ毎に最後にプローブ情報ＤＢ３３に記録した時間を記録しておく。
【００４６】
この処理が実施されると、地図情報・立ち寄り情報ＤＢ３２には図３に示すようなデータが記録される。即ち、図３に示すように、地図情報・立ち寄り情報ＤＢ３２には、特定の施設毎に、この施設を訪問したユーザが次に立ち寄った施設、その人数（訪問者数）、到着時刻や出発時刻、ユーザ（ドライバ）の個人情報（ユーザの年齢、性別、未婚／既婚、同居家族構成、居住地域、職業などの属性情報）が記録される。
【００４７】
続いて、図２（ｂ）に戻り、Ｓ２２０の処理にてプローブ情報または立ち寄り情報要求を受信していなかった場合（Ｓ２１０：ＮＯ，Ｓ２２０：ＮＯ）、およびＳ２３０またはＳ２６０の処理を終了した場合には、プローブ情報の最終記録時間から一定時間以上（例えば８時間以上）経過したプローブ情報があるか否かを、一時個人ＩＤ毎に確認する（Ｓ２７０）。
【００４８】
プローブ情報の最終記録時間から一定時間以上経過したプローブ情報がなければ（Ｓ２７０：ＮＯ）、そのままセンタ処理を終了する。
また、プローブ情報の最終記録時間から一定時間以上経過したプローブ情報があれば（Ｓ２７０：ＹＥＳ）、これらのプローブ情報の記録結果から「どのような人（年齢層や性別等）がどこに立ち寄ったか」といったことを分析し、この分析結果を地図情報・立ち寄り情報ＤＢ３２に記録する（Ｓ２８０）。
【００４９】
具体的には、車載機１０から受信した車両の移動履歴（時刻と緯度経度を示す位置情報とが対応付けられたデータ）に基づいて、地図情報・立ち寄り情報ＤＢ３２から車載機１０のユーザが立ち寄った施設を検索・特定し、記録する。なお、ユーザが立ち寄ったか否かの判定は、例えば、車載機１０の位置が所定時間（例えば１０分間）以上変化しなかったか否かを検出することにより実現することができる。
【００５０】
続いて、一時個人ＩＤを破棄し（Ｓ２９０）、センタ処理を終了する。
ここで、センタ処理において、Ｓ２５０の処理で車載機ＩＤを一時個人ＩＤに置き換えて情報収集を実施し、Ｓ２９０の処理で一時個人ＩＤを破棄するのは、匿名性を高めることにより個人のプライバシを保護するためである。なお、例えばあるユーザがホテルに宿泊した場合、一定時間（ここでは８時間）経過した時点で、一時個人ＩＤを破棄するので、前の日と翌日の対応は付かなくなるが、ユーザの行動が追跡されることにより、ユーザが特定されることを防止することができる。また、一時個人ＩＤを一定時間で破棄することにより、個人ＩＤと一時個人ＩＤの変換テーブルの不要な増加も防ぐことができる。
【００５１】
次に、センタ３０が車載機１０にお勧め施設情報を提供し、車載機１０がお勧め施設を表示する処理について図４を用いて説明する。図４は車載機１０の制御部１１が実行するお勧め施設表示処理を示すフローチャートである。
【００５２】
お勧め施設表示処理においては、まず、お勧め施設を検索する検索指令（基準となる施設を指定した検索指令または基準となる施設を指定しない検索指令）が入力されたか否かを判定する（Ｓ４１０，Ｓ４２０）。なお、検索指令の入力は、ユーザが入力部１５を操作することにより実施される。お勧め施設を検索する検索指令が入力されていなければ（Ｓ４１０：ＮＯ，Ｓ４２０：ＮＯ）、Ｓ４１０，Ｓ４２０の処理を繰り返す。
【００５３】
また、基準となる施設を指定した検索指令が入力されていれば（Ｓ４１０：ＹＥＳ）、指定された施設を検索対象となる施設に指定し（Ｓ４３０）、Ｓ４５０以下の処理にて施設情報の検索を実施する。
【００５４】
また、基準となる施設を指定しない検索指令が入力されていれば（Ｓ４２０：ＹＥＳ）、現在、当該車載機１０が立ち寄っている施設を確認し、この施設を検索対象となる施設に指定し（Ｓ４４０）、Ｓ４５０以下の処理に移行する。ここで、Ｓ４４０における当該車載機１０が立ち寄っている施設を確認する処理は、現在地検出部１８により検出された現在地の情報に基づいて、現在地に近接する施設情報を地図情報ＤＢ１４から抽出し、この施設情報を車載機のユーザが指定した施設として設定するようにして実施される。
【００５５】
続いて、ユーザが指定した施設に立ち寄った他のユーザが、この施設以外に立ち寄っている施設を検索する（Ｓ４５０）。この処理においては、まず、指定した施設の情報を含む立ち寄り情報要求をセンタ３０に送信する。そして、センタ３０では前述のセンタ処理におけるＳ２３０の処理が実施され、立ち寄り情報が車載機１０に送信される。
【００５６】
ここで、センタ３０は立ち寄り情報として、指定した施設に関するデータの全てを無作為に送信する。
続いて、車載機１０では、この立ち寄り情報（検索結果）を予め設定された所定の条件で並び替える（Ｓ４６０）。ここで、所定の条件とは、例えば、以下のようなものが挙げられる。なお、下記のうち、複数の条件を組み合わせて適用してもよい。
・条件１：立ち寄ったユーザ数が多い順。
・条件２：一定時間内に立ち寄られた施設で時間が早い順。
・条件３：一定距離内にある施設で距離が近い順。
・条件４：一定時間内に到着できる施設で到着時間が早い順。
・条件５：営業時間内に到着できる施設を、到着できない施設より上位にする。
・条件６：あらかじめ学習したユーザの嗜好にあっている施設を、あってない施設より上位にする。
・条件７：気象条件にあっている施設を、あってない施設より上位にする。
・条件８：指定エリア内の施設を、指定エリア外の施設より上位にする。
・条件９：個人の属性にあった施設を、あってない施設より上位にする。
・条件１０：自宅までの帰り道で立ち寄れる施設を、立ち寄れない施設より上位にする。
・条件１１：ユーザに指定された施設種別の施設を、指定外の施設より上位にする。
・条件１２：ユーザに指定された個人属性の他のユーザが立ち寄った施設を、指定外の施設より上位にする。
【００５７】
このような処理を行うと、例えば図５（ａ）に示すように、立ち寄り施設名称と施設情報とが所定の順序で整列された検索結果が得られる。
続いて、施設情報の並び替え結果を順に表示部１６に表示させ（Ｓ４７０）、お勧め情報表示処理を終了する。
【００５８】
ここで、表示部１６への表示例としては、図５（ｂ）に示すように、例えば、ユーザが施設Ａを指定して、検索をした結果が、施設Ｂ５０人、施設Ｃ１００人、施設Ｄ５人、施設Ｅ３０人というように表示部１６に表示される。
【００５９】
なお、表示部１６には、各施設の位置とともに電話番号や施設の特徴等の施設情報が表示される。表示部１６にこのような画像が表示されると、ユーザは、表示された情報を見て、次の目的地を設定することになる。また、表示部１６には、例えば距離、到着時間等の情報を併せて表示させてもよい。
【００６０】
なお、本実施形態において、地図情報・立ち寄り情報ＤＢ３２は、本発明でいう訪問先情報記憶手段および地図情報記憶手段に相当し、現在地検出部１８は現在地検出手段に相当する。また、車載機１０の制御部１１が実行するプローブ情報送信処理において、Ｓ１３０の処理は本発明でいう車載機情報送信手段に相当する。
【００６１】
また、車載機１０の制御部１１が実行するお勧め施設表示処理において、Ｓ４５０の処理は本発明でいう施設情報要求手段に相当し、お勧めコース設定処理において、Ｓ５９０〜Ｓ６２０の処理は、訪問順序設定手段に相当する。さらに、センタ３０の処理部３１が実行するセンタ処理において、Ｓ２３０の処理は本発明でいう抽出手段および訪問先情報送信手段に相当し、Ｓ２６０の処理は訪問先施設設定手段および更新手段に相当する。
【００６２】
また、このセンタ処理において、Ｓ２４０〜Ｓ２６０の処理は訪問先監視手段に本発明でいう相当し、Ｓ２５０，Ｓ２７０，Ｓ２９０の処理は制限手段に相当する。
以上のように詳述した情報提供システム１において、車載機１０から要求信号を受けると、センタ３０は、センタ処理にて、地図情報・立ち寄り情報ＤＢ３２に記録された訪問者の情報に基づいて、予め設定された閾値よりも訪問者数が多い訪問先情報を抽出する。そして、抽出した訪問先情報を車載機１０に対して送信する。
【００６３】
従って、このような情報提供システム１によれば、センタ３０は、訪問先情報の中から訪問者数が多い施設の情報を車載機１０に提供することができるので、車載機１０のユーザに対して人気のある施設の情報を提供することができる。
【００６４】
また、地図情報・立ち寄り情報ＤＢ３２は、センタ３０に設けられているので、訪問先情報を更新する際には、地図情報・立ち寄り情報ＤＢ３２に記録された訪問先情報のみを更新するだけで、以後全ての車載機１０に更新された情報を提供することができる。
【００６５】
また、情報提供システム１において、各車載機１０は、各車載機１０を搭載した車両の現在地を検出する現在地検出部１８を備えている。そして、各車載機１０は、プローブ情報送信処理にて、少なくとも検出された現在地の情報をセンタ３０に送信する。
【００６６】
一方、センタ３０は、少なくとも複数の施設の位置情報を含む施設情報を地図情報に対応付けて記憶した地図情報・立ち寄り情報ＤＢ３２を備えている。そして、センタ３０は、車載機１０から現在地の情報を受けると、センタ処理にて、現在地に近接する施設情報を地図情報・立ち寄り情報ＤＢ３２から抽出し、この施設情報を車載機１０のユーザが訪問した訪問先施設として設定し、設定した訪問先施設の情報に基づいて地図情報・立ち寄り情報ＤＢ３２に記録された訪問先情報を更新する。
【００６７】
従って、このような情報提供システム１によれば、センタ３０は、車載機１０より受信した現在地の情報に基づいて、車載機１０のユーザが訪問した施設であるものとして地図情報・立ち寄り情報ＤＢ３２に記録された訪問先情報を更新することができる。よって、車載機１０のユーザに対して常に最新の施設情報を提供することができる。
【００６８】
さらに、情報提供システム１において、車載機１０は、プローブ情報送信処理にて、車載機１０のユーザの特徴を表す属性情報もセンタ３０に送信する。また、センタ３０は、センタ処理にて、車載機１０から受信した属性情報と訪問先施設の情報とを対応付けて訪問先情報として地図情報・立ち寄り情報ＤＢ３２に記録する。また、センタ３０は、車載機１０からの要求を受けると、属性情報の少なくとも一部が一致し、かつ閾値よりも訪問者数が多い訪問先情報を地図情報・立ち寄り情報ＤＢ３２から抽出する。
【００６９】
従って、このような情報提供システム１によれば、属性情報の少なくとも一部が一致する訪問先情報のみを車載機１０に送信することができるので、車載機１０のユーザの属性に応じた施設情報を提供することができる。
【００７０】
なお、属性情報としては、例えば、ユーザの性別、年齢、居住地、家族構成等の個人情報、或いは、車載機１０が搭載された車両の名称（車種）、年式、走行距離等の車両情報等の各種情報が挙げられる。
【００７１】
また、情報提供システム１において、車載機１０は、プローブ情報送信処理にて、車載機１０を識別する識別子（車載機ＩＤ）もセンタ３０に送信する。また、センタ３０は、センタ処理にて、車載機１０より受信した現在地の情報および識別子に基づいて、この車載機１０における訪問先施設を監視する。また、センタ３０はセンタ処理において監視した訪問先施設の訪問順序を訪問先情報として地図情報・立ち寄り情報ＤＢ３２に記録する。
【００７２】
そして、車載機１０がお勧め施設表示処理にて、基準となる施設を指定した要求信号である指定要求信号をセンタ３０に対して送信すると、センタ３０は、センタ処理にて、地図情報・立ち寄り情報ＤＢ３２に記録された訪問先情報のうち、指定要求信号により指定された施設の次に訪問された施設に関する訪問先情報であって、予め設定された閾値よりも訪問者数が多い訪問先情報を抽出する。
【００７３】
従って、このような情報提供システム１によれば、センタ３０は、基準となる施設を指定した指定要求信号を受信した場合に、指定された施設の次に多くの者が訪問した施設の情報を訪問先情報として提供することができる。
【００７４】
よって、指定された施設の次に訪問する施設としてお勧めの施設を案内することができる。なお、本実施形態においては、基準となる施設が指定されなかった場合に、車載機１０が搭載された車両の現在地に近接した施設が指定されたものとみなしている。
【００７５】
さらに、情報提供システム１において、センタ３０は、センタ処理にて、１つの車載機１０を連続して監視する連続監視時間を、予め設定された許可時間以内に制限している。特に本実施形態においては、車載機ＩＤを車載機ＩＤとは異なる識別子である一時個人ＩＤに置換し、この一時個人ＩＤにて情報収集を実施した後、所定時間後に一時個人ＩＤを破棄するようにしている。
【００７６】
従って、このような情報提供システム１によれば、１つの車載機１０を連続して監視する連続監視時間を許可時間以内に制限することができるので、収集した情報から個人が特定され難くすることができる。よって、車載機１０のユーザのプライバシを保護することができる。
【００７７】
なお、本発明の実施の形態は、上記の実施形態に何ら限定されることはなく、本発明の技術的範囲に属する限り種々の形態を採りうる。
例えば、上記実施形態においては、車載機１０が移動履歴をセンタ３０に送信し、センタ３０にて車載機１０のユーザが立ち寄った施設を特定したが、車載機１０にてユーザが立ち寄った施設を特定するようにしてもよい。
【００７８】
この場合には、各車載機１０は、プローブ情報送信処理にて、車両の現在地に近接する施設情報を地図情報ＤＢ１４から抽出し、この施設情報を車載機１０のユーザが訪問した訪問先施設として設定し、訪問先施設の情報をセンタ３０に送信するように構成される。
【００７９】
一方、センタ３０は、センタ処理にて、車載機１０から訪問先施設の情報を受けると、この訪問先施設の情報の情報に基づいて地図情報・立ち寄り情報ＤＢ３２に記録された訪問先情報を更新するよう構成される。
【００８０】
このようにしても、センタ３０は、車載機１０より受信した訪問先施設の情報に基づいて、地図情報・立ち寄り情報ＤＢ３２に記録された訪問先情報を更新することができる。よって、車載機１０のユーザに対して常に最新の施設情報を提供することができる。
【００８１】
また、上記実施形態においては、お勧め施設表示処理を実施することにより、ユーザに訪問する施設を選択させるように構成したが、お勧め施設表示処理に換えて、検索した施設を順に訪問するお勧めコースを設定するお勧めコース設定処理を実施するようにしてもよい。この処理について、図６を用いて説明する。図６は車載機１０の制御部１１が実行するお勧めコース設定処理を示すフローチャートである。
【００８２】
お勧めコース設定処理においては、まず、今いる施設または任意の施設を起点とするお勧めコースの提示を要求する（Ｓ５１０）。この処理の詳細は、図４におけるお勧め施設表示処理（図４）におけるＳ４１０〜Ｓ４４０の処理と同様の処理で実現できる。
【００８３】
続いて、どのような条件でお勧めコースで巡る施設を選択するかを示す選択条件、および移動距離や終了時刻等の移動条件を設定する（Ｓ５２０）。なお、この設定は、予めユーザが入力した条件に基づいて設定するようにしてもよいし、処理の度にユーザに条件を入力させるようにしてもよい。
【００８４】
ここで、上記選択条件としては以下のようなものが挙げられる。
・条件１：立ち寄った人数が最も多い施設。
・条件２：一定時間内に立ち寄られた施設で時間が最も早い施設。
・条件３：距離が最も近い施設。
・条件４：一定時間内に到着できる施設で到着時間が最も早い施設。
・条件５：営業時間内に到着できる施設。
・条件６：あらかじめ学習したユーザの嗜好に最もあっている施設。
・条件７：気象条件にあっている施設。
・条件８：指定エリア内の施設。
・条件９：個人の属性にあった施設。
・条件１０：ユーザに指定された施設種別の施設。
・条件１１：ユーザに指定された個人属性の他のユーザが立ち寄った施設。
【００８５】
なお、この条件の中から複数の条件を選択したり、例えば条件１を必ず選択される条件に設定したりするようにしてもよい。また、複数の条件を選択する場合には、各条件を適用する優先順位を設定するようにしてもよい。
【００８６】
また、移動条件としては以下のようなものが挙げられる。
・条件１：日時（○月○日の○○時まで等）
・条件２：距離（半径○Km以内等）
続いて、Ｓ４５０の処理と同様に、他のユーザが立ち寄った施設の情報を抽出し（Ｓ５３０）、センタ３０から受信したデータ（施設情報）の中から、１つの施設情報を選択する（Ｓ５４０）。そして、選択した施設情報がＳ５２０の処理にて設定した条件（選択条件）に適合しているか否かを判定する（Ｓ５５０）。
【００８７】
選択した施設情報が条件に適合していれば（Ｓ５５０：ＹＥＳ）、全ての施設を選択したか否かを判定する（Ｓ５７０）。一方、Ｓ５５０にて選択した施設情報が条件に適合していなければ（Ｓ５５０：ＮＯ）、この施設に関する施設情報を削除し（Ｓ５６０）、全ての施設を選択したか否かを判定する（Ｓ５７０）。
【００８８】
何れかの施設を選択していなければ（Ｓ５７０：ＮＯ）、未選択の次の施設を選択し（Ｓ５８０）、Ｓ５５０の処理に戻る。また、全ての施設を選択していれば（Ｓ５７０：ＹＥＳ）、Ｓ５７０の処理の終了時点で複数の施設が特定されたか否かを判定する（Ｓ５９０）。
【００８９】
複数の施設が特定されていれば（Ｓ５９０：ＹＥＳ）、移動条件を参照し、特定された全ての施設を訪問可能か否かを判定する（Ｓ６００）。全ての施設を訪問可能であれば（Ｓ６００：ＹＥＳ）、特定した施設を巡るお勧めコースを設定し、このお勧めコースを表示し（Ｓ６２０）、お勧めコース表示処理を終了する。
【００９０】
Ｓ６２０の処理においては、
・立ち寄ったユーザ数が多い順
・トータルの移動距離が短い順
・営業時間内を考慮して、できるだけ多くの施設に立ち寄れる順
等の条件で、特定された複数の施設を並び替え、特定された施設を通過する経路を設定する。
【００９１】
また、全ての施設を訪問可能でなければ（Ｓ６００）、所定条件で一部の施設情報を削除し（Ｓ６１０）、Ｓ６２０の処理を実施し、お勧めコース表示処理を終了する。なお、Ｓ６１０の処理における所定条件とは、
・立ち寄ったユーザ数が少ない施設
・トータルの移動距離が長くなる施設
等の条件が挙げられる。
【００９２】
また、Ｓ５９０の処理にて複数の施設が特定されなかった場合には（Ｓ５９０：ＮＯ）、そのままＳ６２０の処理を実施し、お勧めコース表示処理を終了する。なお、Ｓ５９０の処理にて、１つの施設も特定されなかった場合には、Ｓ６２０の処理にて「施設が特定されませんでした」等の表示を実施するようにしてもよいし、他のユーザの立ち寄り数が最も多い施設を設定するようにしてもよい。
【００９３】
ここで、この処理における表示部１６への表示例を図７に示す。
例えば、ユーザは「営業時間内に到着できる施設」を選択条件として、１０時に今いる施設Ａからのお勧めコースの検索を要求し、移動条件は１５時までとした。この場合において、車載機１０は、まず施設Ａの次によく立ち寄られている施設を検索し、施設Ｂ、Ｃ、Ｄの順に検索結果が得られた。
【００９４】
ここで、各施設の営業時間は、Ｂが２０時まで、Ｃが１６時まで、Ｄが１７時までであった。トータルの移動距離が短い順にするために、最初に訪問する施設を施設Ｂから施設Ｃに変更し、施設Ａ→施設Ｃ→施設Ｂ→施設Ｄに立ち寄る経路がひかれ、ユーザに表示された（図７参照）。
【００９５】
なお、例えば、施設Ｂの営業時間が営業時間内に到着できない時間（例えば、施設Ｂまでの所要時間が３０分、営業時間が１０時３０分まで）に設定されていれば、施設Ｂは訪問する施設から除外されることになる。
【００９６】
また、情報提供システム１において、車載機１０は、センタ３０が複数の施設を抽出し、センタ３０から複数の施設の情報を取得した場合に、お勧めコース設定処理にて、予め設定された順序設定条件に基づいて複数の施設を訪問する訪問順序を設定する。
【００９７】
従って、このような情報提供システム１によれば、抽出した複数の施設を設定された順序で案内することができる。よって、お勧めコース（経路）を車載機１０に提供することができる。
【００９８】
なお、センタ３０にてお勧めコース設定処理を実行してもよい。センタ３０が、お勧めコース設定処理を実行する場合には、設定された訪問順序とともに、訪問先情報を送信するようにすればよい。
【図面の簡単な説明】
【００９９】
【図１】情報提供システムの概略構成を示すブロック図である。
【図２】プローブ情報送信処理を示すフローチャート（ａ）、およびセンタ処理を示すフローチャート（ｂ）である。
【図３】地図情報・立ち寄り情報ＤＢに記録されるデータを示す説明図である。
【図４】お勧め施設表示処理を示すフローチャートである。
【図５】センタ処理による施設情報の検索結果を表形式にまとめた一例を示す説明図（ａ）、および検索結果に基づく表示部への表示例（ｂ）である。
【図６】お勧めコース設定処理を示すフローチャートである。
【図７】お勧めコース表示処理を実施した際の表示部への表示例である。
【符号の説明】
【０１００】
１…情報提供システム、５…インターネット網、１０…車載機、１１…制御部、１２…履歴収集部、１３…個人情報ＤＢ、１４…地図情報ＤＢ、１５…入力部、１６…表示部、１７…通信部、１８…現在地検出部、３０…センタ、３１…処理部、３２…地図情報・立ち寄り情報ＤＢ、３３…プローブ情報ＤＢ、３４…通信部。
【図１】
2008128659.tif 000003
【図２】
2008128659.tif 000004
【図３】
2008128659.tif 000005
【図４】
2008128659.tif 000006
【図６】
2008128659.tif 000007
【図５】
2008128659.tif 000008
【図７】
2008128659.tif 000009